(57)【要約】【課題】アプリケーション提供者やプリント作成者、ユーザに適正な利益を還元することができるようにする注文データ作成プログラム及び注文処理システム並びに注文処理方法の提供。【解決手段】プリント注文プログラムを提供するアプリケーション提供者と、ユーザから提供された画像データを用いて写真プリントを作成すると共に画像データとアプリケーションとを記録媒体９に記録してユーザに提供するプリント作成者と、記録媒体９に記録されたプリント注文プログラムを用いてプリント注文を行う制御装置１と、制御装置１から送信された画像データ及び注文データを記憶して注文を指示する注文サーバ１２とを含み、注文サーバ１２又は制御装置１に、プリント対象となる画像データが記録媒体９に記録された画像データであるか否かを判別する手段と、その結果に基づいて注文条件を設定する手段を備える。【選択図】図１
2007226403.tif 000002
【特許請求の範囲】
【請求項１】
コンピュータを、
特定のプログラムを用いた注文に利用される画像データが、前記特定のプログラム又は該特定のプログラムをインストールするためのデータが記録された記録媒体に記録された画像データであるか否かを判別し、該判別結果に基づいて設定された条件で前記注文を指示する注文データを作成する手段として機能させることを特徴とする注文データ作成プログラム。
【請求項２】
前記手段では、前記画像データ自身又は付帯データに記述された情報、又は、前記画像データのファイル名に基づいて、前記記録媒体に記録された前記画像データを判別することを特徴とする請求項１記載の注文データ作成プログラム。
【請求項３】
前記特定のプログラムは、プリント注文を行うプログラムであり、
前記条件は、プリント作成で得られる利益の配分率、プリント作成の納期、プリントの価格のいずれかを含むことを特徴とする請求項１又は２に記載の注文データ作成プログラム。
【請求項４】
画像データと、特定のプログラム又は該特定のプログラムをインストールするためのデータと、が記録された記録媒体を作成する手段と、
前記特定のプログラムを用いた注文に利用される画像データが、前記記録媒体に記録された画像データであるか否かを判別する判別手段と、を少なくとも備えることを特徴とするプリント注文システム。
【請求項５】
前記判別手段では、前記画像データ自身又は付帯データに記述された情報、又は、前記画像データのファイル名に基づいて、前記記録媒体に記録された前記画像データを判別することを特徴とする請求項４記載のプリント注文システム。
【請求項６】
画像データと、特定のプログラム又は該特定のプログラムをインストールするためのデータと、前記特定のプログラムをコピーするためのコピープログラム又は該コピープログラムをインストールするためのデータと、が記録された記録媒体を作成する手段と、
画像データと、前記コピープログラムによってコピーされた前記特定のプログラム又は該特定のプログラムをインストールするためのデータと、が記録された他の記録媒体を作成する手段と、
画像データを利用した注文を行う前記特定のプログラムが、前記記録媒体に記録されたプログラムであるか、前記他の記録媒体に記録されたプログラムであるかを判別する判別手段と、を少なくとも備えることを特徴とするプリント注文システム。
【請求項７】
前記判別手段では、前記特定のプログラム自身又は付帯するデータに記録された情報を参照して、該特定のプログラムが前記記録媒体に基づくプログラムであるか前記他の記録媒体に基づくプログラムであるかを判別することを特徴とする請求項６記載のプリント注文システム。
【請求項８】
更に、前記判別の結果に基づいて、前記注文の条件を設定する手段を備えることを特徴とする請求項４乃至７のいずれか一に記載のプリント注文システム。
【請求項９】
前記特定のプログラムは、プリント注文を行うプログラムであり、
前記条件は、プリント作成で得られる利益の配分率、プリント作成の納期、プリントの価格のいずれかを含むことを特徴とする請求項４乃至８のいずれか一に記載のプリント注文システム。
【請求項１０】
画像データと、特定のプログラム又は該特定のプログラムをインストールするためのデータと、が記録された記録媒体を作成するステップと、
前記特定のプログラムを用いた注文に利用される画像データが、前記記録媒体に記録された画像データであるか否かを判別する判別ステップと、を少なくとも備えることを特徴とするプリント注文方法。
【請求項１１】
前記判別ステップでは、前記画像データ自身又は付帯データに記述された情報、又は、前記画像データのファイル名に基づいて、前記記録媒体に記録された前記画像データを判別することを特徴とする請求項１０記載のプリント注文方法。
【請求項１２】
画像データと、特定のプログラム又は該特定のプログラムをインストールするためのデータと、前記特定のプログラムをコピーするためのコピープログラム又は該コピープログラムをインストールするためのデータと、が記録された記録媒体を作成するステップと、
画像データと、前記コピープログラムによってコピーされた前記特定のプログラム又は該特定のプログラムをインストールするためのデータと、が記録された他の記録媒体を作成するステップと、
画像データを利用した注文を行う前記特定のプログラムが、前記記録媒体に基づくプログラムであるか、前記他の記録媒体に基づくプログラムであるかを判別する判別ステップと、を少なくとも備えることを特徴とするプリント注文方法。
【請求項１３】
前記判別ステップでは、前記特定のプログラム自身又は付帯するデータに記録された情報を参照して、該特定のプログラムが前記記録媒体に基づくプログラムであるか前記他の記録媒体に基づくプログラムであるかを判別することを特徴とする請求項１２記載のプリント注文方法。
【請求項１４】
更に、前記判別の結果に基づいて、前記注文の条件を設定するステップを備えることを特徴とする請求項１０乃至１３のいずれか一に記載のプリント注文方法。
【請求項１５】
前記特定のプログラムは、プリント注文を行うプログラムであり、
前記条件は、プリント作成で得られる利益の配分率、プリント作成の納期、プリントの価格のいずれかを含むことを特徴とする請求項１０乃至１４のいずれか一に記載のプリント注文方法。
【発明の詳細な説明】
【技術分野】
【０００１】
本発明は、注文データ作成プログラム及び注文処理システム並びに注文処理方法に関し、特に、写真プリントの注文を処理するための注文データ作成プログラム及び注文処理システム並びに注文処理方法に関する。
【背景技術】
【０００２】
近年、写真画像に関する様々なサービスが提供されている。例えば、ミニラボ等の写真店には無人端末（キオスク）や店頭端末などが設置されており、写真を撮影したデジタルカメラやデジタルカメラ用メディアを写真店に持ち込み、無人端末や店頭端末などを操作することによって、デジタルカメラやメディアに記録された画像データから写真プリントを作成したり、画像データをＣＤ−Ｒ、ＤＶＤ−Ｒなどの記録媒体に書き込むことができる（上記無人端末に関しては、例えば、下記特許文献１参照）。
【０００３】
また、その場で写真プリントを作成するのではなく、画像データと共に、これらの画像データを用いてプリント注文を行うためのプリント注文プログラムやコピープログラムなどのアプリケーションを記録媒体に書き込み、その記録媒体を用いてユーザの端末からプリント注文を行うこともできる。更に、読み取った画像データからＤＶＤプレーヤやＤＶＤレコーダ、ＨＤＤレコーダ、ゲーム機などの家電機器でスライドショーとして再生するためのデータ（以下、家電機器用データと呼ぶ。）を作成して記録媒体に書き込み、ユーザの家電機器でスライドショーを閲覧することもできる。
【０００４】
【特許文献１】特開平１１−８８１７号公報（第３−４頁、第１図）
【発明の開示】
【発明が解決しようとする課題】
【０００５】
ここで、画像データとアプリケーションとを記録媒体に記録してユーザに提供する場合、ユーザは、記録媒体に記録された画像データを用いてプリント注文を行う場合もあれば、他の場所や媒体に記録された画像データを用いてプリント注文を行う場合もあり、また、記録媒体に記録されたプリント注文プログラムを用いてプリント注文を行う場合もあれば、コピーされたプリント注文プログラムを用いてプリント注文を行う場合もあり、どのような形態でプリント注文が行われるかによってプリント注文に対する貢献度が異なる。
【０００６】
例えば、記録媒体に記録された画像データを用いてプリント注文が行われた場合には、画像データ自体がプリント注文に貢献したと考えられることから、写真店などの写真プリントを作成する業者（以下、プリント作成者と呼ぶ。）は自身の貢献度が大きいと考える。また、プリント注文を行うユーザは、自らが提供した画像データを用いて再度プリント注文を行っていることから自身の貢献度が大きいと考える。
【０００７】
一方、アプリケーションを用いてプリント注文が行われた場合には、アプリケーション自体がプリント注文に貢献したと考えられることから、そのアプリケーションを作成して提供する業者（以下、アプリケーション提供者と呼ぶ。）は自身の貢献度が大きいと考える。
【０００８】
しかしながら、従来は、どのような形態でプリント注文が行われたとしても、注文に対する条件（例えば、利益配分や納期、プリント価格等）は変更されないため、アプリケーション提供者やプリント作成者、ユーザに適正な利益を還元することができず、その結果、プリント注文の促進を図ることができないという問題があった。また、上記問題はプリント注文に限らず、上記記録媒体を作成する場合や画像データをサーバに保管する場合においても同様に生じる。
【０００９】
本発明は、上記問題点に鑑みてなされたものであって、その主たる目的は、アプリケーション提供者やプリント作成者、ユーザに適正な利益を還元することができるようにするための注文データ作成プログラム及び注文処理システム並びに注文処理方法を提供することにある。
【課題を解決するための手段】
【００１０】
上記目的を達成するため、本発明の注文データ作成プログラムは、コンピュータを、特定のプログラムを用いた注文に利用される画像データが、前記特定のプログラム又は該特定のプログラムをインストールするためのデータが記録された記録媒体に記録された画像データであるか否かを判別し、該判別結果に基づいて設定された条件で前記注文を指示する注文データを作成する手段として機能させるものである。
【００１１】
本発明においては、前記手段では、前記画像データ自身又は付帯データに記述された情報、又は、前記画像データのファイル名に基づいて、前記記録媒体に記録された前記画像データを判別する構成とすることができる。
【００１２】
また、本発明においては、前記特定のプログラムは、プリント注文を行うプログラムであり、前記条件は、プリント作成で得られる利益の配分率、プリント作成の納期、プリントの価格のいずれかを含むことが好ましい。
【００１３】
また、本発明の注文処理システムは、画像データと、特定のプログラム又は該特定のプログラムをインストールするためのデータと、が記録された記録媒体を作成する手段と、前記特定のプログラムを用いた注文に利用される画像データが、前記記録媒体に記録された画像データであるか否かを判別する判別手段と、を少なくとも備えるものであり、前記判別手段では、前記画像データ自身又は付帯データに記述された情報、又は、前記画像データのファイル名に基づいて、前記記録媒体に記録された前記画像データを判別する構成とすることができる。
【００１４】
また、本発明の注文処理システムは、画像データと、特定のプログラム又は該特定のプログラムをインストールするためのデータと、前記特定のプログラムをコピーするためのコピープログラム又は該コピープログラムをインストールするためのデータと、が記録された記録媒体を作成する手段と、画像データと、前記コピープログラムによってコピーされた前記特定のプログラム又は該特定のプログラムをインストールするためのデータと、が記録された他の記録媒体を作成する手段と、画像データを利用した注文を行う前記特定のプログラムが、前記記録媒体に記録されたプログラムであるか、前記他の記録媒体に記録されたプログラムであるかを判別する判別手段と、を少なくとも備えるものであり、前記判別手段では、前記特定のプログラム自身又は付帯するデータに記録された情報を参照して、該特定のプログラムが前記記録媒体に基づくプログラムであるか前記他の記録媒体に基づくプログラムであるかを判別する構成とすることができる。
【００１５】
本発明においては、更に、前記判別の結果に基づいて、前記注文の条件を設定する手段を備える構成とすることができる。
【００１６】
また、本発明の注文処理方法は、画像データと、特定のプログラム又は該特定のプログラムをインストールするためのデータと、が記録された記録媒体を作成するステップと、前記特定のプログラムを用いた注文に利用される画像データが、前記記録媒体に記録された画像データであるか否かを判別する判別ステップと、を少なくとも備えるものであり、前記判別ステップでは、前記画像データ自身又は付帯データに記述された情報、又は、前記画像データのファイル名に基づいて、前記記録媒体に記録された前記画像データを判別する構成とすることができる。
【００１７】
また、本発明の注文処理方法は、画像データと、特定のプログラム又は該特定のプログラムをインストールするためのデータと、前記特定のプログラムをコピーするためのコピープログラム又は該コピープログラムをインストールするためのデータと、が記録された記録媒体を作成するステップと、画像データと、前記コピープログラムによってコピーされた前記特定のプログラム又は該特定のプログラムをインストールするためのデータと、が記録された他の記録媒体を作成するステップと、画像データを利用した注文を行う前記特定のプログラムが、前記記録媒体に基づくプログラムであるか、前記他の記録媒体に基づくプログラムであるかを判別する判別ステップと、を少なくとも備えるものであり、前記判別ステップでは、前記特定のプログラム自身又は付帯するデータに記録された情報を参照して、該特定のプログラムが前記記録媒体に基づくプログラムであるか前記他の記録媒体に基づくプログラムであるかを判別する構成とすることができる。
【００１８】
本発明においては、更に、前記判別の結果に基づいて、前記注文の条件を設定するステップを備える構成とすることができる。
【００１９】
このように、本発明では、プリント注文プログラムによってプリント注文が行われた場合に、プリント対象となる画像データが記録媒体に記録された画像データであるか否かが判別され、その判別結果に応じて注文条件が設定されるため、アプリケーション提供者やプリント作成者、ユーザに適正な利益を還元することができる。
【００２０】
また、プリント注文プログラムによってプリント注文が行われた場合に、そのプリント注文を行ったプリント注文プログラムが元の記録媒体に記録されたプログラムであるか、他の記録媒体に記録されたプログラムであるかが判別され、その判別結果に応じて注文条件が設定されるため、アプリケーション提供者やプリント作成者、ユーザに適正な利益を還元することができる。
【発明の効果】
【００２１】
以上説明したように、本発明の注文データ作成プログラム及び注文処理システム並びに注文処理方法によれば、アプリケーション提供者やプリント作成者、ユーザに適正な利益を還元することができ、プリント注文の促進を図ることができる。
【００２２】
その理由は、記録媒体に画像データとプリント注文プログラム（又は該プリント注文プログラムを制御装置にインストールするためのデータ）とを記録してユーザに提供し、ユーザがそのプリント注文プログラムを用いてプリント注文を行った場合に、注文データ作成プログラムや注文サーバでは、プリント対象となる画像データが記録媒体に記録された画像データであるか否かを判別し、その判別結果に応じて、アプリケーション提供者やプリント作成者、ユーザの貢献度を判定して注文条件を設定するからである。
【００２３】
また、記録媒体に画像データとプリント注文プログラム（又は該プリント注文プログラムを制御装置にインストールするためのデータ）と該プリント注文プログラムを他の制御装置にインストールするために他の記録媒体にコピーするコピープログラム（又は該コピープログラムを制御装置にインストールするためのデータ）とを記録してユーザに提供し、該プリント注文プログラムによってプリント注文が行われた場合に、そのプリント注文を行ったプリント注文プログラムが元の記録媒体に記録されたプログラムであるか、他の記録媒体に記録されたプログラムであるかを判別し、その判別結果に応じて、アプリケーション提供者やプリント作成者、ユーザの貢献度を判定して注文条件を設定するからである。
【発明を実施するための最良の形態】
【００２４】
本発明に係る注文処理システムは、その好ましい一実施の形態において、プリント注文プログラム（又は該プリント注文プログラムを制御装置にインストールするためのデータ）や該プリント注文プログラムを他の制御装置にインストールするために他の記録媒体にコピーするコピープログラム（又は該コピープログラムを制御装置にインストールするためのデータ）などを提供するアプリケーション提供者と、ユーザから提供された画像データを用いて写真プリントを作成すると共に、該画像データとアプリケーション（又はデータ）とを記録媒体に記録してユーザに提供するプリント作成者と、記録媒体に記録されたプリント注文プログラムを用いてプリント注文を行う制御装置（又は、制御装置で作成された他の記録媒体に記録されたプリント注文プログラムを用いてプリント注文を行う他の制御装置）と、制御装置や他の制御装置から送信された画像データ及び注文データを記憶し、プリント作成者に注文を指示する注文サーバと、を含み、注文サーバ（又は制御装置）に、プリント注文プログラムによってプリント注文が行われた場合に、プリント対象となる画像データが記録媒体に記録された画像データであるか否か、また、プリント注文を行ったプリント注文プログラムが記録媒体に記録されたプリント注文プログラムであるか他の記録媒体に記録されたプリント注文プログラムであるかを判別する手段と、その判別結果に基づいて注文条件（利益配分や納期、プリント価格など）を設定する手段とを備えるものであり、アプリケーション提供者やプリント作成者、ユーザの貢献度を判定し適正に利益を還元することができ、プリント注文の促進を図ることができる。
【実施例１】
【００２５】
上記実施形態について詳細に説明すべく、本発明の第１の実施例に係る注文データ作成プログラム及び注文処理システム並びに注文処理方法について、図１乃至図１３を参照して説明する。図１は、本実施例に係る注文処理システムの構成を模式的に示す図であり、図２乃至図６は、制御装置のバリエーションを示す図である。また、図７は、制御装置の手段を示すブロック図であり、図８及び図９は、本実施例の注文処理システムを利用した注文処理の手順を示すフローチャート図である。また、図１０及び図１１は、データの記録構造を示す図であり、図１２及び図１３は、制御装置の表示手段に表示される画面の構成例を示す図である。
【００２６】
図１に示すように、本実施例の注文処理システムは、プリント注文プログラム（又は該プリント注文プログラムを制御装置１にインストールするためのデータ）を提供するアプリケーション提供者と、ユーザから提供された画像データを用いて写真プリントを作成すると共に、該画像データとアプリケーション提供者から提供されたアプリケーション又はデータとを記録媒体９に記録してユーザに提供するプリント作成者と、記録媒体９に記録されたプリント注文プログラム又はインストールされたプリント注文プログラムを用いてプリント注文を行う制御装置１と、制御装置１に通信ネットワーク１１で接続され、制御装置１から送信された画像データ及び注文データを記憶し、プリント作成者に写真プリントの作成を指示する注文サーバ１２などで構成される。
【００２７】
また、図１及び図７に示すように、制御装置１には、メディア装填部２に装填されたスマートメディア、コンパクトフラッシュ（登録商標）、メモリースティック（登録商標）、ＳＤメモリーカード、マルチメディアカードなどの記録媒体（以下、メディア８と呼ぶ。）、機器接続部３に接続されたデジタルカメラ７（デジタルスチルカメラ及びデジタルムービーカメラの双方を含む。）やカメラ付き携帯電話機７ａ等の撮影機器、ネットワーク接続部を用いてインターネット等の通信ネットワーク１１を介して接続される画像保管サーバ、記録媒体装填部４に装填されたＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体９などから画像データ（静止画像データ、動画データ、画像情報を含むデータを総称して画像データと呼ぶ。）を入力するデータ入力手段１３と、写真プリントの作成を指示する注文データを作成する注文データ作成手段１４と、プリント注文プログラムをインストールしたり画像データをバックアップするＨＤＤ１０と、ＬＣＤ、ＣＲＴ等の表示手段５及びボタン、キーボード、マウス等の操作手段６などを備えている。
【００２８】
そして、注文サーバ１２又は制御装置１の注文データ作成手段１４のいずれか一方に、プリント対象となる画像データが記録媒体９に記録されたものであるか否かを判別する手段と、その判別結果に基づいて、利益配分や納期、プリント価格などの注文に対する条件（以下、注文条件と呼ぶ。）を設定する手段と、を備えている。
【００２９】
なお、上記各手段は制御装置１にハードウェアとして構成されていてもよいが、コンピュータを、注文データ作成手段１４として機能させる注文データ作成プログラムとして構成し、該注文データ作成プログラムを制御装置１にインストールして実行する構成としてもよい。また、図１では、制御装置１としてパーソナルコンピュータを示しているが、制御装置１の形態は任意であり、例えば、図２に示すように写真店やコンビニエンスストアなどの店舗に設置される無人端末（キオスク）としたり、図３に示すように専用のセットトップボックスとしたり、図４に示すようにポータブルライターなどとしたり、図５に示すように、演算処理機能を備えるＨＤＤレコーダやＤＶＤレコーダ、ゲーム機などとしたり、図６に示すように、ハードディスクを備えた端末と画像データの読み取りや書き込みを行う本体とが分離可能な携帯機器としたり、演算処理機能を備えたカーナビゲーション機器などとすることもできる。
【００３０】
次に、上記注文処理システムを利用した注文処理の手順について、図８のフローチャート図を参照して説明する。なお、以下の説明では、プリント注文プログラムを制御装置１にインストールして実行する構成とするが、このプログラムを制御装置１にインストールせずに記録媒体９から実行する構成としてもよい。
【００３１】
まず、ステップＳ１０１で、アプリケーション提供者はプリント作成者に対して、記録媒体９に書き込んでユーザに提供するためのプリント注文プログラム又は該プリント注文プログラムを制御装置１にインストールするためのデータを提供する。なお、上記プログラムやデータの提供形態は任意であり、プログラムやデータを記録媒体に書き込んでプリント作成者に提供してもよいし、インターネット等の通信ネットワークを介してプログラムやデータをプリント作成者に送信してもよい。
【００３２】
次に、ステップＳ１０２で、ユーザは写真撮影を行ったデジタルカメラやメディアなどをプリント作成者に提供し、ステップＳ１０３で、必要に応じて、プリント作成者はデジタルカメラやメディアなどから読み取った画像データに基づいて写真プリントを作成する。なお、画像データの提供方法も任意であり、ユーザがデジタルカメラやメディアをプリント作成者の店舗に持ち込んでもよいし、郵送で送ってもよいし、インターネット等の通信ネットワークを介して画像データをプリント作成者に送信してもよい。また、プリント作成者の形態も任意であり、印刷手段を備える写真店舗としてもよいし、ユーザからデジタルカメラやメディアを受け取って注文の受付のみを行う注文店舗としてもよいし、ユーザから画像データを受信して注文処理を行うＷＥＢサイトとしてもよい。
【００３３】
次に、ステップＳ１０４で、プリント作成者は、任意の記録装置を用いて、ユーザが提供した画像データと、アプリケーション提供者が提供したプリント注文プログラム又はデータとを記録媒体９に書き込んでユーザに提供する。この記録媒体９には、例えば、図１０に示すように、所定の名称のフォルダ内に、ユーザが提供した画像データ（ORYYMMDD000001.jpg…）や必要に応じて該画像データのデータサイズを縮小したサムネイル画像データ（THYYMMDD000001.jpg…）、スクリーンネイル画像データ（SCYYMMDD000001.jpg…）などの縮小画像データ、管理データ（index.pvm）が記録されると共に、プリント注文プログラム又はプリント注文プログラムを制御装置１にインストールするためのデータ（ここではプリント注文プログラムとなるcompressorder.dllと、これを解凍して制御装置１にインストールするためのSetup.exe）とが記録される。
【００３４】
ここで、後述するステップでプリント注文を行う際に、プリント対象となる画像データが記録媒体９に記録された画像データであるか否かを判別する必要があることから、本実施例では、画像データのヘッダなどに記録媒体９に記録された画像データであることを示す情報やプリント作成者を特定する情報（これらの情報を総称してデータ識別情報と呼ぶ。）などを記述したり、画像データとデータ識別情報とを対応付けるテーブルを記述した管理データ（例えば、index.pvm）などを記録媒体９に記録したり、画像データのファイル名を予め定められたルールに従って命名する（例えば、CCYYMMDDxxxxxx（CC：データの種別、YYMMDD：書き込み年月日を特定する数字、xxxxxx：シーケンシャル番号）とする）などの処理を行う。
【００３５】
なお、図１０の構成は例示であり、記録媒体９にはユーザが提供した画像データと、アプリケーション提供者が提供したプリント注文プログラム又はプリント注文プログラムを制御装置１にインストールするためのデータとが記録されていればよく、縮小画像データなどは任意であり、更に、テンプレートデータやスキン（アプリケーションソフトの外観に関する情報を格納したファイル）などのコンテンツデータを書き込んでもよい。また、画像データを格納するフォルダの名称も任意であるが、画像データの管理を容易にするために、図１０に示すように、画像データの格納場所を示すフォルダ（PS_Roll）の下位の階層にメディア８毎、機器毎、フィルム毎のデータの格納場所を示すフォルダを設け、該フォルダの名称をROYYMMDDyyy_XXXXXXAABxxx（YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）としてもよい。また、この記録媒体９に、少なくとも一部がコンピュータのＯＳでは記録内容を制御できない情報、具体的にはプログラムメモリ領域の情報や、ＣＤ−Ｒ成型時に付与される案内溝変調（ＡＴＩＰ：Absolute Time In Pre-groove）による情報などで構成される識別情報が書き込まれていてもよい。
【００３６】
次に、ステップＳ１０５で、プリント作成者から記録媒体９を受け取ったユーザが、その記録媒体９を制御装置１の記録媒体装填部４に装填すると、ステップＳ１０６で、記録媒体９に記録されたSetupプログラムが起動し、プリント注文プログラムが制御装置１にインストールされる。例えば、図１１に示すように、所定のディレクトリの所定のフォルダ（ここではProgram files）の下位にプログラムや画像データの格納場所を示すフォルダ（ここではUtility）が作成され、その中にプリント注文プログラム（ここではorder.exe）がインストールされ、必要に応じて、画像データ（ORYYMMDD000001.jpg…）やサムネイル画像データ（THYYMMDD000001.jpg…）、スクリーンネイル画像データ（SCYYMMDD000001.jpg…）、管理データ（index.pvm）などがバックアップされる。なお、ここでは記録媒体装填部４に記録媒体９を装填すると自動的にプリント注文プログラムがインストールされる構成としているが、ユーザが所定の操作を行ってプリント注文プログラムをインストールする構成としてもよい。
【００３７】
そして、プリント注文プログラムを起動すると、制御装置１の表示手段５にプリント注文を実行するための画面、例えば、図１２に示すようなプリント対象となる画像データを選択するための画像選択画面１５が表示される。この画像選択画面１５には、例えば、画像データの供給元を示すタグ表示欄１６と、画像データの縮小画像を一覧表示する一覧表示欄１７と、選択された画像データを表示する選択画像表示欄１８と、操作手順を明示する手順表示欄１９とが表示される。
【００３８】
そして、ステップＳ１０７で、ユーザが一覧表示欄１７に表示された画像の中から所望の画像を選択すると選択された画像が選択画像表示欄１８に表示される。例えば、タグ表示欄１６でＣＤ（又は制御装置１に画像データがバックアップされた場合はＨＤＤ）を選択すると、図１２に示すように、一覧表示欄１７には記録媒体９又はＨＤＤ１０に記録された画像データ（ORYYMMDD000001.jpg…）に基づく画像が表示される。また、制御装置１のメディア装填部２にメディア８を装填、又は、機器接続部３にデジタルカメラ７を接続し、タグ表示欄１６でメディア・デジカメを選択すると、図１３に示すように、一覧表示欄１７にはメディア８又はデジタルカメラ７に記録された画像データ（DSC00001.jpg…）に基づく画像が表示される。
【００３９】
そして、手順表示欄１９の指示に従って、画像を回転したり、プリント枚数やサイズを指定するなどのプリント条件を設定した後、注文データの作成を指示すると、ステップＳ１０８で、注文データ作成手段１４は、選択された画像データをプリントするための注文データを作成する。例えば、図１２の構成では、画像データ（ORYYMMDD000001.jpg〜ORYYMMDD000003.jpg、ORYYMMDD000006.jpg、ORYYMMDD000007.jpg）から写真プリントを作成するための注文データが作成され、図１３の構成では、画像データ（DSC00001.jpg〜DSC00004.jpg）から写真プリントを作成するための注文データが作成される。
【００４０】
この注文データには、少なくとも、プリント対象となる画像データを特定する情報（ファイル名など）とプリントの枚数やサイズなどのプリント条件を特定する情報とが記述される。また、画像データにデータ識別情報が記録されておらず、予め定められたルールでファイル名が命名されていない場合は、管理データなどを参照して、画像データが記録媒体９に記録されたものであることを示すデータ識別情報が記述される。なお、注文データのデータ構成やファイル形式は特に限定されず、注文サーバ１２が認識可能であればよい。
【００４１】
その後、プリント対象となる画像データと注文データとをインターネットなどの通信ネットワーク１１を介して注文サーバ１２に送信する。
【００４２】
次に、ステップＳ１０９で、注文サーバ１２は受信した画像データと注文データとに基づいて、写真プリントの作成をプリント作成者に指示する。その際、プリント対象となる画像データが記録媒体９に記録された画像データである場合には、記録媒体９に画像データを記録することによってプリント注文がなされたと考えられることから、プリント作成者の貢献度が大きいと考えられる。また、自らが提供した画像データを用いてプリント注文を行っていることから、ユーザの貢献度も大きいと考えられる。一方、プリント対象となる画像データが制御装置１のメディア装填部２に装填されたメディア８や機器接続部３に接続されたデジタルカメラ７に記録された画像データ、ＨＤＤ１０に記録された他の画像データである場合には、記録媒体９にプリント注文プログラムを記録することによってプリント注文がなされたと考えられることから、アプリケーション提供者の貢献度が大きいと考えられる。従って、写真プリントの作成によって得られる利益はその貢献度に応じてプリント作成者やアプリケーション提供者、ユーザに還元されるのが妥当である。
【００４３】
そこで、本実施例では、注文サーバ１２で単にプリント作成者にプリント作成の指示を行うのではなく、貢献度に応じて注文条件を設定して指示を行う。具体的には、ステップＳ１１０で、注文サーバ１２は、プリント対象となる画像データのヘッダにデータ識別情報が記述されているか、又は、注文データに該画像データに対応付けられたデータ識別情報が記述されているか、画像データのファイル名が予め定められたルールに従って命名されたものであるかなどに基づいて、プリント対象となる画像データが記録媒体９に記録されたものであるか否かを判別する。
【００４４】
そして、画像データが記録媒体９に記録されたものである場合には、ステップＳ１１１で、注文サーバ１２はプリント作成者やユーザの貢献度を配慮して、利益配分や納期、プリント価格などの注文条件を第１の条件（例えば、プリント作成者の利益配分を多くしたり、プリント作成の納期を短くしたり、プリント価格を安くするなど）に設定し、画像データが記録媒体９に記録されたものでない場合には、ステップＳ１１２で、注文サーバ１２はアプリケーション提供者の貢献度を配慮して注文条件を第２の条件（例えば、アプリケーション提供者の利益配分を多くするなど）に設定する。
【００４５】
なお、ここでは注文条件として利益配分と納期とプリント価格を例示したが、例えば、プリントサイズを変更したり、プリントにデザインを施すなど、注文に対する条件であればよい。また、ここでは、画像データが記録媒体９に記録されたものである場合にプリント作成者やユーザの貢献度が大きいと判断し、画像データが記録媒体９に記録されたものでない場合にアプリケーション提供者の貢献度が大きいと判断したが、貢献度は他の要因（例えば、プリント注文プログラムの使いやすさ、プリント作成者が設定するプリント価格など）も勘案して判断することが好ましい。また、ここでは、利益配分を第１の条件又は第２の条件のいずれかに設定する構成としているが、いずれか一方の場合にはデフォルトで設定された注文条件のままとし、他方の場合にのみ注文条件を変更する構成としてもよい。
【００４６】
その後、ステップＳ１１３で、注文サーバ１２は、ステップＳ１１１又はＳ１１２で設定した注文条件で、プリント作成者に写真プリントの作成を指示し、ステップＳ１１４で、プリント作成者は注文サーバ１２の指示に従って写真プリントの作成を行う。
【００４７】
ここで、図８では、注文サーバ１２でプリント対象となる画像データが記録媒体９に記録されたものであるか否かを判別し、その判別結果に応じて注文条件を設定してプリント作成の指示を行う構成としたが、制御装置１の注文データ作成手段１４（又は注文データ作成プログラム）で、注文データを作成する際に注文条件を設定することも可能である。以下、その場合の注文処理の手順について、図９のフローチャート図を参照して説明する。なお、以下の説明でも、プリント注文プログラムを制御装置１にインストールして実行する構成とするが、このプログラムを制御装置１にインストールせずに記録媒体９から実行する構成としてもよい。
【００４８】
まず、図８のフローと同様に、ステップＳ２０１で、アプリケーション提供者はプリント作成者にプリント注文プログラム又は該プリント注文プログラムを制御装置１にインストールするためのデータを提供する。次に、ステップＳ２０２で、ユーザはデジタルカメラやメディアをプリント作成者に提供し、ステップＳ２０３で、必要に応じて、プリント作成者はデジタルカメラやメディアに記録された画像データに基づいて写真プリントを作成し、続いて、ステップＳ２０４で、ユーザが提供した画像データと、アプリケーション提供者が提供したプリント注文プログラム又はデータとを記録媒体９に書き込んでユーザに提供する。その際、必要に応じて、画像データのヘッダなどにデータ識別情報などを記述したり、画像データとデータ識別情報とを対応付けるテーブルを記述した管理データを記録媒体９に記録したり、画像データのファイル名を予め定められたルールに従って命名するなどの処理を行う。
【００４９】
次に、ステップＳ２０５で、記録媒体９を制御装置１の記録媒体装填部４に装填すると、ステップＳ２０６で、プリント注文プログラムが制御装置１にインストールされ、このプリント注文プログラムを起動すると、制御装置１の表示手段５にプリント注文を実行するための画像選択画面１５が表示される。そして、ステップＳ２０７で、ユーザは一覧表示欄１７に表示された画像の中から所望の画像を選択し、手順表示欄１９の指示に従って、画像を回転したり、プリント枚数やサイズを指定するなどのプリント条件を設定した後、注文データ作成を指示する。
【００５０】
次に、注文データ作成手段１４（又は注文データ作成プログラム）は注文データを作成するが、本実施例では、プリント注文の貢献度を判定するために、ステップＳ２０８で、画像データが記録媒体９に記録されたものであるか否かを判別する。具体的には、プリント対象となる画像データのヘッダにデータ識別情報が記述されているか、管理データに該画像データに対応するデータ識別情報が記述されているか、画像データのファイル名が予め定められたルールに従って命名されたものであるかを調べ、その結果に応じて、該画像データが記録媒体９に記録されたものであるか否かを判別する。なお、図９のフローの場合は、注文データ作成手段１４（又は注文データ作成プログラム）はプリント対象となる画像データの提供元をタグ表示欄１６で特定することができるため、ステップＳ２０４で記録媒体９に画像データを記録する際に特別な処理を行わなくても、画像データが記録媒体９に記録されたものであるか否かを判別することができる。
【００５１】
そして、画像データが記録媒体９に記録されたものである場合には、ステップＳ２０９で、注文データ作成手段１４はプリント作成者やユーザの貢献度を配慮して注文条件を第１の条件に設定し、画像データが記録媒体９に記録されたものでない場合には、ステップＳ２１０で、注文データ作成手段１４はアプリケーション提供者の貢献度を配慮して注文条件を第２の条件に設定する。
【００５２】
次に、ステップＳ２１１で、注文データ作成手段１４は、プリント対象となる画像データを特定する情報（ファイル名など）と、プリントの枚数やサイズなどのプリント条件を特定する情報と、貢献度に応じて設定した注文条件を示す情報とを記述した注文データを作成し、プリント対象となる画像データと注文データとをインターネットなどの通信ネットワーク１１を介して注文サーバ１２に送信する。なお、ここでは注文データ中に注文条件を記述する構成としているが、注文データとは別に、注文条件を記録したデータを作成してもよい。
【００５３】
次に、ステップＳ２１２で、注文サーバ１２は受信した画像データと注文データとに基づいて、写真プリントの作成をプリント作成者に指示する。その際、注文データに記述された注文条件で、プリント作成者に写真プリントの作成を指示する。そして、ステップＳ２１４で、プリント作成者は注文サーバ１２の指示に従って写真プリントの作成を行う。
【００５４】
このように、本実施例によれば、プリント注文プログラムを用いて画像データから写真プリントを作成する際に、画像データのヘッダや管理データ、画像データのファイル名などを参照して、プリント対象となる画像データが記録媒体９に記録された画像データであるか否かを判別し、その結果に応じて利益配分や納期、プリント価格などの注文条件を指定してプリント作成の指示を行うため、プリント作成者やアプリケーション提供者、ユーザに適正な利益を還元することができ、プリント注文の促進を図ることができる。
【実施例２】
【００５５】
次に、本発明の第２の実施例に係る注文処理システム及び注文処理方法について、図１４乃至図２０を参照して説明する。図１４は、本実施例に係る注文処理システムの構成を模式的に示す図であり、図１５及び図１６は、本実施例の注文処理システムを利用した注文処理の手順を示すフローチャート図である。また、図１７乃至図２０は、データの記録構造を示す図である。
【００５６】
前記した第１の実施例では、プリント作成の対象となる画像データが記録媒体９に記録された画像データであるか否かに基づいて注文条件を設定する構成としたが、プリント注文プログラムが他の記録媒体にコピーされたり、他の記録媒体を介して他の制御装置にインストールされた場合、そのプログラムが元の記録媒体に記録されたものであるか、他の記録媒体に記録されたものであるかによって、プリント注文に対するプリント作成者やアプリケーション提供者、ユーザの貢献度が異なる。そこで、本実施例では、プリント注文に使用されたプリント注文プログラムが、オリジナルのプログラムであるかコピーされたプログラムであるかを判別し、その判別結果に応じてプリント作成者やアプリケーション提供者、ユーザの貢献度を設定して適正に利益を還元できるようにする。
【００５７】
その場合の注文処理システムは、図１４に示すように構成され、プリント注文プログラム（又は該プリント注文プログラムを制御装置１にインストールするためのデータ）や該プリント注文プログラムを他の制御装置２１にインストールするために他の記録媒体２０にコピーするコピープログラム（又は該コピープログラムを制御装置１にインストールするためのデータ）などを提供するアプリケーション提供者と、ユーザから提供された画像データを用いて写真プリントを作成すると共に、該画像データとアプリケーション提供者から提供されたアプリケーション又はデータとを記録媒体９に記録してユーザに提供するプリント作成者と、記録媒体９に記録されたプリント注文プログラム又はインストールされたプリント注文プログラムを用いてプリント注文を行うと共に、プリント注文プログラム（又は該プリント注文プログラムを他の制御装置２１にインストールするためのデータ）と必要に応じて画像データとを他の記録媒体２０に記録する制御装置１と、他の記録媒体２０に記録されたプリント注文プログラム（又はインストールされたプリント注文プログラム）を用いてプリント注文を行う他の制御装置２１と、制御装置１及び他の制御装置２１に通信ネットワーク１１で接続され、制御装置１又は他の制御装置２１から送信された画像データ及び注文データを記憶し、プリント注文プログラムが記録媒体９に基づくプログラム（すなわちオリジナルのプログラム）であるか、他の記録媒体２０に基づくプログラム（すなわちコピーされたプログラム）であるかを判別し、その判別結果に基づいて注文条件を設定してプリント作成者に写真プリントの作成を指示する注文サーバ１２などで構成される。
【００５８】
なお、本実施例においても、制御装置１又は他の制御装置２１の形態は任意であり、例えば、写真店やコンビニエンスストアなどの店舗に設置される無人端末（キオスク）としたり、専用のセットトップボックスとしたり、ポータブルライターなどとしたり、演算処理機能を備えるＨＤＤレコーダやＤＶＤレコーダ、ゲーム機などとしたり、ハードディスクを備えた端末と画像データの読み取りや書き込みを行う本体とが分離可能な携帯機器としたり、演算処理機能を備えたカーナビゲーション機器などとすることもできる。
【００５９】
次に、上記注文処理システムを利用した注文処理の手順について、図１５及び図１６のフローチャート図を参照して説明する。なお、以下の説明では、プリント注文プログラムを制御装置１や他の制御装置２１にインストールして実行する構成とするが、このプログラムを制御装置１や他の制御装置２１にインストールせずに記録媒体９や他の記録媒体２０から実行する構成としてもよい。
【００６０】
まず、ステップＳ３０１で、アプリケーション提供者はプリント作成者に対して、記録媒体９に書き込んでユーザに提供するためのプリント注文プログラム及びコピープログラム又はこれらのプログラムを制御装置１にインストールするためのデータを提供する。なお、上記プログラムやデータの提供形態は任意であり、プログラムやデータを記録媒体に書き込んでプリント作成者に提供してもよいし、インターネット等の通信ネットワークを介してプログラムやデータをプリント作成者に送信してもよい。
【００６１】
次に、ステップＳ３０２で、ユーザは写真撮影を行ったデジタルカメラやメディアなどをプリント作成者に提供し、ステップＳ３０３で、必要に応じて、プリント作成者はデジタルカメラやメディアなどに記録された画像データに基づいて写真プリントを作成する。なお、画像データの提供方法も任意であり、ユーザがデジタルカメラやメディアをプリント作成者の店舗に持ち込んでもよいし、郵送で送ってもよいし、インターネット等の通信ネットワークを介して画像データをプリント作成者に送信してもよい。また、プリント作成者の形態も任意であり、印刷手段を備える写真店舗としてもよいし、ユーザからデジタルカメラやメディアを受け取って注文の受付のみを行う注文店舗としてもよいし、ユーザから画像データを受信して注文処理を行うＷＥＢサイトとしてもよい。
【００６２】
次に、ステップＳ３０４で、プリント作成者は、任意の記録装置を用いて、ユーザが提供した画像データと、アプリケーション提供者が提供したプリント注文プログラム及びコピープログラム又はデータとを記録媒体９に書き込んでユーザに提供する。この記録媒体９には、例えば、図１７に示すように、所定の名称のフォルダ内に、ユーザが提供した画像データ（ORYYMMDD000001.jpg…）や必要に応じて該画像データのデータサイズを縮小したサムネイル画像データ（THYYMMDD000001.jpg…）、スクリーンネイル画像データ（SCYYMMDD000001.jpg…）などの縮小画像データ、管理データ（index.pvm）が記録されると共に、プリント注文プログラム及びコピープログラム又はこれらのプログラムを制御装置１にインストールするためのデータ（ここではプリント注文プログラムとなるcompressorder.dllと、コピープログラムとなるcompresscopy.dllと、これを解凍して制御装置１にインストールするためのSetup.exe）と、プリント注文プログラムを他の制御装置２１にインストールするためのデータ（ここではinstallerフォルダ内のプリント注文プログラムとなるcompressorder.dllと、これを解凍して制御装置１にインストールするためのSetup.exe）とが記録される。
【００６３】
なお、図１７の構成は例示であり、記録媒体９にはユーザが提供した画像データと、アプリケーション提供者が提供したプリント注文プログラム及びコピープログラム又はこれらのプログラムを制御装置１にインストールするためのデータと、プリント注文プログラムを制御装置２１にインストールするためのデータとが記録されていればよく、縮小画像データなどは任意であり、更に、テンプレートデータやスキンなどのコンテンツデータを書き込んでもよい。また、画像データを格納するフォルダや画像データの名称も任意であるが、第１の実施例と同様に、画像データの格納場所を示すフォルダ（PS_Roll）の下位の階層にメディア８毎、機器毎、フィルム毎のデータの格納場所を示すフォルダを設け、該フォルダの名称をROYYMMDDyyy_XXXXXXAABxxxとしたり、画像データのファイル名をCCYYMMDDxxxxxxとしてもよい。また、この記録媒体９に、少なくとも一部がコンピュータのＯＳでは記録内容を制御できない情報、具体的にはプログラムメモリ領域の情報や、ＣＤ−Ｒ成型時に付与される案内溝変調（ＡＴＩＰ）による情報などで構成される識別情報が書き込まれていてもよい。
【００６４】
次に、ステップＳ３０５で、プリント作成者から記録媒体９を受け取ったユーザが、その記録媒体９を制御装置１の記録媒体装填部４に装填すると、ステップＳ３０６で、記録媒体９に記録されたSetupプログラムが起動し、プリント注文プログラム及びコピープログラムが制御装置１にインストールされる。例えば、図１８に示すように、所定のディレクトリの所定のフォルダ（ここではProgram files）の下位にプログラムや画像データの格納場所を示すフォルダ（ここではUtility）が作成され、その中にプリント注文プログラム（ここではorder.exe）とコピープログラム（ここではcopy.exe）がインストールされ、必要に応じて、画像データ（ORYYMMDD000001.jpg…）やサムネイル画像データ（THYYMMDD000001.jpg…）、スクリーンネイル画像データ（SCYYMMDD000001.jpg…）、管理データ（index.pvm）などがバックアップされ、更に、プリント注文プログラムを他の制御装置２１にインストールするためのデータが記録される。なお、ここでは記録媒体装填部４に記録媒体９を装填すると自動的にプリント注文プログラム及びコピープログラムがインストールされる構成としているが、ユーザが所定の操作を行ってプリント注文プログラム及びコピープログラムをインストールする構成としてもよい。
【００６５】
次に、制御装置１の記録媒体装填部４に他の記録媒体２０を装填し、他の記録媒体２０に、プリント注文プログラムを他の制御装置２１にインストールするためのデータを記録する。その際、上記データのみを他の記録媒体２０に記録してもよいし、記録媒体９やメディア８、デジタルカメラ７、ＨＤＤ１０などに記録された画像データや該画像データに基づいて生成した家電機器用データなどを記録してもよい。
【００６６】
家電機器用データを記録する場合は、記録媒体９やメディア８、デジタルカメラ７、ＨＤＤ１０などから画像データを読み取り、読み取った画像データに基づいて動画データを生成（エンコード）し、生成された動画データに基づいて、家電機器で再生可能な形式の家電機器用データ（例えば、動画データがＭＰＥＧ１形式の場合はＶｉｄｅｏ−ＣＤ形式のデータ、動画データがＭＰＥＧ１又はＭＰＥＧ２の場合はＤＶＤ−Ｖｉｄｅｏ形式のデータ）を生成（オーサリング）する。
【００６７】
そして、ステップＳ３０７で、制御装置１にインストールされたコピープログラムを起動すると、コピープログラムは、まず、生成した家電機器用データを他の記録媒体２０の論理アドレス領域の内周側に書き込み、必要に応じてセッションをクローズした後、プリント注文プログラムを他の制御装置２１にインストールするためのデータや読み取った画像データなどを他の記録媒体２０の先に記録した家電機器用データの外側に書き込む。なお、この論理アドレス領域とは、ユーザのデータ（プログラム）が記録される領域であり、ユーザデータの配置情報が記録されるプログラムメモリ領域、リードイン・ＴＯＣ（Table Of Contents）領域やリードアウト領域などの情報領域、ディスクの応用コードやレーザ記録パワーの推奨値、その他の情報が記録される案内溝変調（ＡＴＩＰ）情報の領域は含まず、また、論理アドレス領域外とは上記論理アドレス領域以外の領域を指すものとする。
【００６８】
上記他の記録媒体２０のデータ記録構造は、例えば、図１９（ａ）に示すようになり、画像データの格納場所を示すフォルダ（PS_Rollフォルダ）内の画像データや縮小画像データ、管理データ（index.pvm）と、プリント注文プログラムを他の制御装置２１にインストールするためのデータ（compresseorder.dllとSetup.exe）などで構成されるコンピュータ機器用データと、”VCD”フォルダ内の画像データをＶｉｄｅｏ−ＣＤ形式用データとして関連付けるファイル、”SEGMENT”フォルダ内のＴＶ画面に表示する画像データ、”MPEGAV”フォルダ内の動画データ、”CDI”フォルダ内のＴＶ画面に静止画像データを表示するためのアプリケーションなどで構成される家電機器用データと、が記録される。また、家電機器用データとしてＤＶＤ−Ｖｉｄｅｏ形式のデータを生成した場合は、図１９（ｂ）に示すように、”VIDEO_TS”フォルダ内の、チャプター位置情報が記述されたVIDEO_TS.IFOとそのバックアップファイルであるVIDEO_TS.BUPとタイトル選択メニューのためのVIDEO_TS.VOBとで構成されるビデオマネージャ（ＶＭＧ）と、チャプター位置情報が記述されたVTS_**_0.IFOとそのバックアップファイルであるVTS_**_0.BUPとＶＴＳの各タイトルの動画データであるVTS_**_*.VOBなどとで構成されるビデオタイトルセット（ＶＴＳ）などが記録される。なお、フォルダ名称、ファイル名称などは任意であるが、管理を容易にするために、メディア８毎、機器毎、フィルム毎のデータの格納場所を示すフォルダの名称をROYYMMDDyyy_XXXXXXAABxxxとしたり、各々のデータのファイル名称をCCYYMMDDxxxxxxとしてもよい。
【００６９】
次に、ステップＳ３０８で、他のユーザが、他の記録媒体２０を他の制御装置２１の記録媒体装填部２４に装填すると、ステップＳ３０９で、他の記録媒体２０に記録されたSetupプログラムが起動し、プリント注文プログラムが他の制御装置２１にインストールされる。例えば、図２０に示すように、所定のディレクトリの所定のフォルダ（ここではProgram files）の下位にプログラムや画像データの格納場所を示すフォルダ（ここではUtility）が作成され、その中にプリント注文プログラム（ここではorder.exe）がインストールされ、必要に応じて、画像データ（ORYYMMDD000001.jpg…）やサムネイル画像データ（THYYMMDD000001.jpg…）、スクリーンネイル画像データ（SCYYMMDD000001.jpg…）、管理データ（index.pvm）などがバックアップされる。
【００７０】
ここで、後述するステップでプリント注文を行う際に、プリント注文を行ったプリント注文プログラムが記録媒体９に基づくプログラムであるか他の記録媒体２０に基づくプログラムであるかを判別する必要があることから、例えば、他の制御装置２１にインストールされるプリント注文プログラム自身や管理データなどにコピーされたプログラムであることを示す情報（以下、プログラム識別情報と呼ぶ。）などを記述する。なお、記録媒体９に基づくプリント注文プログラムと他の記録媒体２０に基づくプリント注文プログラムとは同じ機能を備えたプログラムとしてもよいし、他の記録媒体２０に基づくプリント注文プログラムは機能の一部が制限されたプログラムとしてもよい。
【００７１】
次に、ステップＳ３１０で、制御装置１又は他の制御装置２１のプリント注文プログラムを起動すると、制御装置１の表示手段５又は他の制御装置２１の表示手段２５にプリント注文を実行するための画面、例えば、図１２に示すような画像選択画面１５が表示され、ステップＳ３１１で、ユーザが一覧表示欄１７に表示された画像の中から所望の画像を選択すると選択された画像が選択画像表示欄１８に表示される。そして、手順表示欄１９の指示に従って、画像を回転したり、プリント枚数やサイズを指定するなどのプリント条件を設定した後、注文データ作成を指示すると、ステップＳ３１２で、注文データ作成手段１４（又は他の制御装置２１の注文データ作成手段）は、選択された画像データをプリントするための注文データを作成する。
【００７２】
その際、他の制御装置２１の注文データ作成手段は、プリント注文プログラム自身又は管理データのプログラム識別情報を参照して、該プリント注文プログラムがコピーされたプログラムであることを判別し、その旨を注文データに記述する。なお、上記説明では、プリント注文プログラムがコピーされたプログラムである場合にその旨を注文データに記述する構成としたが、プリント注文プログラムがオリジナルのプログラムである場合にその旨を注文データに記述する構成としてもよいし、その双方としてもよい。その場合は、プリント注文プログラム自身又は管理データにオリジナルのプログラムであることを示すプログラム識別情報を記録しておき、制御装置１の注文データ作成手段１４は、注文プログラム自身又は管理データを参照してオリジナルのプログラムであることを判別すればよい。
【００７３】
その後、プリント対象となる画像データと注文データとをインターネットなどの通信ネットワーク１１を介して注文サーバ１２に送信する。
【００７４】
次に、ステップＳ３１３で、注文サーバ１２は受信した画像データと注文データとに基づいて、写真プリントの作成をプリント作成者に指示する。その際、プリント注文を行ったプリント注文プログラムが記録媒体９に基づくプログラムである場合には、記録媒体９を提供することによってプリント注文がなされたと考えられることから、プリント作成者やユーザの貢献度が大きいと考えられる。一方、プリント注文を行ったプリント注文プログラムが他の記録媒体２０に基づくプログラムである場合には、他の記録媒体２０を提供することによってプリント注文がなされたと考えられることから、コピープログラムを提供したアプリケーション提供者の貢献度が大きいと考えられる。従って、写真プリントの作成によって得られる利益はその貢献度に応じてプリント作成者やアプリケーション提供者に還元されるのが妥当である。
【００７５】
そこで、本実施例では、注文サーバ１２で単にプリント作成者にプリント作成の指示を行うのではなく、貢献度に応じて利益配分や納期、プリント価格などの注文条件を設定して指示を行う。具体的には、ステップＳ３１４で、注文サーバ１２は、注文データに記述された情報に基づいて、プリント注文プログラムが記録媒体９に基づくプログラムであるか他の記録媒体２０に基づくプログラムであるかを判別する。
【００７６】
そして、プリント注文プログラムが記録媒体９に基づくプログラムである場合には、ステップＳ３１５で、注文サーバ１２はプリント作成者やユーザの貢献度を配慮して注文条件を第１の条件に設定し、プリント注文プログラムが他の記録媒体２０に基づくプログラムである場合には、ステップＳ３１６で、注文サーバ１２はアプリケーション提供者の貢献度を配慮して注文条件を第２の条件に設定する。なお、プリント作成者やアプリケーション提供者、ユーザの貢献度を判定する際に、他の要因（例えば、コピープログラムの使いやすさ、プリント作成者が設定するプリント価格など）も勘案することが好ましい。また、いずれか一方の場合にデフォルトで設定された注文条件のままとし、他方の場合にのみ注文条件を変更する構成としてもよい。
【００７７】
その後、ステップＳ３１７で、注文サーバ１２は、ステップＳ３１５又はＳ３１６で設定した利益配分を指定して、プリント作成者に写真プリントの作成を指示し、ステップＳ３１８で、プリント作成者は注文サーバ１２の指示に従って写真プリントの作成を行う。
【００７８】
このように、本実施例によれば、プリント注文プログラムを用いて画像データから写真プリントを作成する際に、プリント注文プログラム自身や管理データなどを参照して、プリント注文プログラムが記録媒体９に基づくプログラムであるか他の記録媒体２０に基づくプログラムであるかを判別し、その判別結果に応じて利益配分や納期、プリント価格などの注文条件を設定してプリント注文の指示を行うため、プリント作成者やアプリケーション提供者、ユーザに適正な利益を還元することができ、プリント注文の促進を図ることができる。
【００７９】
なお、第１の実施例では、プリント対象となる画像データが記録媒体９に記録された画像データであるか否かに基づいて注文条件を設定し、第２の実施例では、プリント注文を行ったプリント注文プログラムが記録媒体９に基づくプログラムであるか他の記録媒体２０に基づくプログラムであるかに基づいて注文条件を設定したが、第１の実施例の構成と第２の実施例の構成とを組み合わせてもよく、例えば、画像データ及びプリント注文プログラムが記録媒体９に記録されている場合に注文条件を第１の条件に設定し、画像データが記録媒体９に記録され、プリント注文プログラムが他の記録媒体２０に記録されている場合に注文条件を第２の条件に設定し、画像データ及びプリント注文プログラムが他の記録媒体２０に記録されている場合に注文条件を第３の条件に設定し、画像データが他の記録媒体２０に記録され、プリント注文プログラムが記録媒体９に記録されている場合に注文条件を第４の条件に設定することもできる。
【００８０】
また、上記各実施例では、プリント注文プログラムを用いてプリント注文を行う場合を示したが、本発明は上記実施例に限定されるものではなく、記録媒体を作成したり、画像データをサーバに保管するなど、画像データに関する他の処理を行う場合も同様に適用することができる。
【産業上の利用可能性】
【００８１】
本発明は、画像データに関する注文における制御を行う任意のプログラム及び注文システム並びに注文方法に対して適用することができる。
【図面の簡単な説明】
【００８２】
【図１】本発明の第１の実施例に係る注文処理システムの構成を模式的に示す図である。
【図２】本発明の第１の実施例に係る制御装置の他の構成を示す図である。
【図３】本発明の第１の実施例に係る制御装置の他の構成を示す図である。
【図４】本発明の第１の実施例に係る制御装置の他の構成を示す図である。
【図５】本発明の第１の実施例に係る制御装置の他の構成を示す図である。
【図６】本発明の第１の実施例に係る制御装置の他の構成を示す図である。
【図７】本発明の第１の実施例に係る制御装置の手段を示すブロック図である。
【図８】本発明の第１の実施例に係る注文処理システムを用いた写真プリントの注文手順を示すフローチャート図である。
【図９】本発明の第１の実施例に係る注文処理システムを用いた写真プリントの注文手順を示すフローチャート図である。
【図１０】本発明の第１の実施例に係る記録媒体のデータ記録構造を示す図である。
【図１１】本発明の第１の実施例に係る制御装置のデータ記録構造を示す図である。
【図１２】本発明の第１の実施例に係る制御装置の表示手段に表示される画面構成例を示す図である。
【図１３】本発明の第１の実施例に係る制御装置の表示手段に表示される画面構成例を示す図である。
【図１４】本発明の第２の実施例に係る注文処理システムの構成を模式的に示す図である。
【図１５】本発明の第２の実施例に係る注文処理システムを用いた写真プリントの注文手順を示すフローチャート図である。
【図１６】本発明の第２の実施例に係る注文処理システムを用いた写真プリントの注文手順を示すフローチャート図である。
【図１７】本発明の第２の実施例に係る記録媒体のデータ記録構造を示す図である。
【図１８】本発明の第２の実施例に係る制御装置のデータ記録構造を示す図である。
【図１９】本発明の第２の実施例に係る他の記録媒体のデータ記録構造を示す図である。
【図２０】本発明の第２の実施例に係る他の制御装置のデータ記録構造を示す図である。
【符号の説明】
【００８３】
１  制御装置
２  メディア装填部
３  機器接続部
４  記録媒体装填部
５  表示手段
６  操作手段
７  デジタルカメラ
７ａ  カメラ付き携帯電話機
８  メディア
９  記録媒体
１０、２９  ＨＤＤ
１１  通信ネットワーク
１２  注文サーバ
１３  データ入力手段
１４  注文データ作成手段
１５  画像一覧表示画面
１６  タグ表示欄
１７  一覧表示欄
１８  画像選択画面
１９  手順表示欄
２０  他の記録媒体
２１  他の制御装置
２２  メディア装填部
２３  機器接続部
２４  記録媒体装填部
２５  表示手段
２６  操作手段
２７  デジタルカメラ
２８  メディア
【図１】
2007226403.tif 000003
【図２】
2007226403.tif 000004
【図３】
2007226403.tif 000005
【図４】
2007226403.tif 000006
【図５】
2007226403.tif 000007
【図６】
2007226403.tif 000008
【図７】
2007226403.tif 000009
【図８】
2007226403.tif 000010
【図９】
2007226403.tif 000011
【図１０】
2007226403.tif 000012
【図１１】
2007226403.tif 000013
【図１２】
2007226403.tif 000014
【図１３】
2007226403.tif 000015
【図１４】
2007226403.tif 000016
【図１５】
2007226403.tif 000017
【図１６】
2007226403.tif 000018
【図１７】
2007226403.tif 000019
【図１８】
2007226403.tif 000020
【図１９】
2007226403.tif 000021
【図２０】
2007226403.tif 000022